(57)【要約】  【課題】部品点数および組立工数を削減してコストダウンを図るとともに、安定した特性が得られるようにする。  【解決手段】複数のワイヤ１１〜１３、２１〜２３を基台２およびレンズホルダ４の側部において半田付けにより固定し、基台２の半田付け部１４、２４から後端側に延びる余剰のワイヤを基台２の背面側へ折り曲げる。ワイヤの折り曲げ部と基台２の背面に設けられた基板３とを半田付けした後、この半田付け部１６、２６における余剰のワイヤを切断する。【選択図】  図２Ｆ
2006134442.tif 000002
【特許請求の範囲】
【請求項１】
ベース上に設けられた基台の両側に複数のワイヤが取り付けられ、対物レンズを備えたレンズホルダが前記ワイヤの先端側に保持され、前記複数のワイヤは導電性を有する弾性部材からなり、これらのワイヤにより前記レンズホルダが水平および垂直方向に変位可能に支持されるとともに、各ワイヤが前記基台およびレンズホルダの側部において半田付けにより固定されており、当該ワイヤの後端側の端部が、前記基台の背面に設けられている基板と電気的に接続された光ピックアップにおけるワイヤ接続方法であって、
複数のワイヤのそれぞれを、両端部を除く２箇所で前記基台およびレンズホルダの側部において半田付けする工程と、
前記レンズホルダの半田付け部から先端側に延びる余剰のワイヤを切断する工程と、
前記基台の半田付け部から後端側に延びる余剰のワイヤを、切断することなく基台の背面側へ折り曲げる工程と、
前記ワイヤの折り曲げ部と、基台の背面に設けられた基板とを半田付けする工程と、
前記折り曲げ部の半田付け部における余剰のワイヤを切断する工程と、
を備えたことを特徴とする光ピックアップのワイヤ接続方法。
【請求項２】
ベース上に設けられた基台の両側に複数のワイヤが取り付けられ、対物レンズを備えたレンズホルダが前記ワイヤの先端側に保持され、前記複数のワイヤは導電性を有する弾性部材からなり、これらのワイヤにより前記レンズホルダが水平および垂直方向に変位可能に支持されるとともに、当該ワイヤの後端側の端部が前記基台の背面で電気接続部と電気的に接続された光ピックアップにおけるワイヤ接続方法であって、
複数のワイヤのそれぞれを、前記基台およびレンズホルダの側部において固定する工程と、
前記基台のワイヤ固定部から後端側に延びる余剰のワイヤを基台の背面側へ折り曲げる工程と、
前記ワイヤの折り曲げ部と、基台の背面に設けられた電気接続部とを半田付けする工程と、
前記折り曲げ部の半田付け部における余剰のワイヤを切断する工程と、
を備えたことを特徴とする光ピックアップのワイヤ接続方法。
【発明の詳細な説明】
【技術分野】
【０００１】
本発明は、ＣＤ（Compact Disk）やＤＶＤ（Digital Versatile Disk）のような光ディスクに対して情報の記録再生を行うための光ピックアップにおけるワイヤ接続方法に関する。
【背景技術】
【０００２】
ＤＶＤレコーダ等に用いられる光ピックアップとしては、ベース上の基台に保持したワイヤの先端側に、対物レンズを備えたレンズホルダを保持した構造のものが知られている。上記ワイヤは、導電性を有する弾性部材からなり、レンズホルダを水平および垂直方向に変位可能に支持するスプリングとしての機能を有しているとともに、レンズホルダに備わるコイルに電流を流して、マグネットの磁界の作用により発生するローレンツ力によりレンズホルダを所定方向に変位させるためのリード線としての機能を有している。
【０００３】
このような構造の光ピックアップは、例えば後掲の特許文献１〜５に記載されている。特許文献１には、トラッキングコイル用の線材をレンズホルダに形成したボス部の案内溝に沿って直接巻き付けることにより、コイルの接着作業を省略して組立時のばらつきを少なくした対物レンズ支持装置が記載されている。特許文献２には、ワイヤの基端部と先端部に拡大部を形成することにより、ワイヤの固定強度の向上を図った光ピックアップが記載されている。特許文献３には、ワイヤの基端側を基台に形成された貫通孔を通した後、Ｌ字型に折り曲げて基台の背面で半田付けすることにより、ワイヤを長手方向に弾性変形可能とし、温度上昇の影響や共振の発生をなくした光ピックアップが記載されている。特許文献４には、コイルの絶縁性被膜が除かれた端子部を、導電性材料で形成された支持部材に直接接合することにより、半田等を用いることなく電気的接続が行えるようにした対物レンズ駆動装置が記載されている。以上の各特許文献の光ピックアップにおいては、ワイヤの基端側の端部が、基台の背面に設けられている基板等の電気接続部と電気的に接続されている。
【０００４】
図４Ａ〜図５Ｄは、上述したようなワイヤでレンズホルダを保持した構造の光ピックアップにおいて、ワイヤの後端を基台の背面で電気的に接続する方法の従来例を示した図である。各図において、（ａ）は光ピックアップの上面図、（ｂ）は光ピックアップの正面図、（ｃ）は光ピックアップの左側面図をそれぞれ表している。また、各図において同一部分には同一符号を付してある。
【０００５】
ワイヤの接続方法の説明に入る前に、図５Ｄを参照して、光ピックアップの概略構造を説明する。２００は光ピックアップであって、ベース５１と、このベース５１上に取り付けられている基台５２と、この基台５２の背面に設けられている基板５３と、基台５２の両側に後端側（図の左側）が取り付けられるワイヤ６１、７１等と、各ワイヤの先端側（図の右側）に保持されたレンズホルダ５４とを備えている。５５はレンズホルダ５４に設けられた対物レンズである。６４、７４はワイヤ６１、７１等を基台５２の両側で固定するための半田付け部、６５、７５はワイヤ６１、７１等をレンズホルダ５４の両側で固定するための半田付け部である。６６、７６はワイヤ６１、７１等を基板５３に電気的に接続するためのフレキシブル基板（ＦＰＣ）のような接続部材、６７、７７はワイヤ６１、７１等と接続部材６６、６７との半田付け部、６８、７８は接続部材６６，７６と基板５３との半田付け部である。なお、レンズホルダ５４にはフォーカスコイルやトラッキングコイルが装備されており、ベース５１には各コイルに磁界を作用させるマグネットが装備されているが、図ではこれらの図示を省略してある。
【０００６】
上述した光ピックアップ２００の動作は、従来のものと同じである。すなわち、外部から与えられる制御信号（フォーカス信号、トラッキング信号）は、基板５３、接続部材６６、７６およびワイヤ６１、７１等を介して、レンズホルダ５４に設けられている図示しないフォーカスコイルやトラッキングコイルに供給される。コイルに電流が流れると、図示しないマグネットの磁界の作用によりローレンツ力が発生し、この力を受けてレンズホルダ５４は、ワイヤ６１、７１等を弾性変形させながら垂直方向に変位してフォーカス動作を行い、あるいは水平方向に変位してトラッキング動作を行う。
【０００７】
次に、光ピックアップ２００におけるワイヤの接続方法につき、順を追って説明する。最初に、図４Ａに示すように、片側のワイヤ群Ｗ１を構成する３本のワイヤ６１〜６３を、基台５２とレンズホルダ５４の側部にセットする。この作業は、光ピックアップ２００を図示しない冶具に取り付けた状態で行われる。ワイヤ６１〜６３は、両端部が基台５２とレンズホルダ５４を超えて延びるような十分な長さを有している。
【０００８】
ワイヤ６１〜６３をセットした後、図４Ａ（ａ）に示すＡ部で、各ワイヤ６１〜６３を基台５２の側部に設けられた半田接続部に半田付けして基台５２に固定する。６４は基台５２における各ワイヤの半田付け部を示している。続いて、図４Ｂに示すように、同図（ａ）に示すＢ部で、ワイヤ６１〜６３をレンズホルダ５４の側部に設けられた半田接続部に半田付けしてレンズホルダ５４に固定する。６５はレンズホルダ５４における各ワイヤの半田付け部を示している。以上によって、ワイヤ６１〜６３は、両端部を除く２箇所で基台５２およびレンズホルダ５４の側部に固定される。そして、半田付け部６４、６５間の距離がワイヤの有効長となって、レンズホルダ５４は、ワイヤ６１〜６３により基台５２に弾性的に支持される。
【０００９】
その後、光ピックアップ２００を冶具から取り外し、図４Ｃに示すように、基台５２の半田付け部６４から後端側（左側）に延びるワイヤのうち、基台５２からはみ出た余剰のワイヤ６１ａ〜６３ａ（同図（ａ）では６１ａのみ図示）をニッパ等の工具を用いて切断する。また、レンズホルダ５４の半田付け部６５から先端側（右側）に延びる余剰のワイヤ６１ｂ〜６３ｂ（同図（ａ）では６１ｂのみ図示）をニッパ等の工具を用いて切断する。
【００１０】
次に、図４Ｄに示すように、接続部材６６をワイヤ６１〜６３と基板５３との間に介在させ、同図（ａ）に示すＣ部で、ワイヤ６１〜６３の後端側の切断部と接続部材６６とを、半田付け部６７のように半田付けする。また、基板５３と接続部材６６とを、半田付け部６８のように半田付けする。これによって、ワイヤ６１〜６３からなるワイヤ群Ｗ１は、接続部材６６を介して基板５３と電気的に接続される。
【００１１】
上記のようにして一方のワイヤ群Ｗ１の接続が終了した後、他方のワイヤ群Ｗ２の接続を図５Ａ〜図５Ｃの工程に従って同様に行う。すなわち、図５Ａに示すように、ワイヤ群Ｗ２を構成する３本のワイヤ７１〜７３を、基台５２とレンズホルダ５４の側部にセットする。この作業は、光ピックアップ２００を図示しない冶具に取り付けた状態で行われる。ワイヤ７１〜７３は、両端部が基台５２とレンズホルダ５４を超えて延びるような十分な長さを有している。
【００１２】
ワイヤ７１〜７３をセットした後、図５Ａ（ａ）に示すＡ部で、各ワイヤ７１〜７３を基台５２の側部に設けられた半田接続部に半田付けして基台５２に固定する。７４は基台５２における各ワイヤの半田付け部を示している。続いて、図５Ｂに示すように、同図（ａ）に示すＢ部で、ワイヤ７１〜７３をレンズホルダ５４の側部に設けられた半田接続部に半田付けしてレンズホルダ５４に固定する。７５はレンズホルダ５４における各ワイヤの半田付け部を示している。以上によって、ワイヤ７１〜７３は、両端部を除く２箇所で基台５２およびレンズホルダ５４の側部に固定される。そして、半田付け部７４、７５間の距離がワイヤの有効長となって、レンズホルダ５４は、ワイヤ７１〜７３により基台５２に弾性的に支持される。
【００１３】
その後、光ピックアップ２００を冶具から取り外し、図５Ｃに示すように、基台５２の半田付け部７４から後端側（左側）に延びるワイヤのうち、基台５２からはみ出た余剰のワイヤ７１ａ〜７３ａ（同図（ａ）では７１ａのみ図示）をニッパ等の工具を用いて切断する。また、レンズホルダ５４の半田付け部７５から先端側（右側）に延びる余剰のワイヤ７１ｂ〜７３ｂ（同図（ａ）では７１ｂのみ図示）をニッパ等の工具を用いて切断する。
【００１４】
次に、図５Ｄに示すように、接続部材７６をワイヤ７１〜７３と基板５３との間に介在させ、同図（ａ）に示すＣ部で、ワイヤ７１〜７３の後端側の切断部と接続部材７６とを、半田付け部７７のように半田付けする。また、基板５３と接続部材７６とを、半田付け部７８のように半田付けする。これによって、ワイヤ７１〜７３からなるワイヤ群Ｗ２は、接続部材７６を介して基板５３と電気的に接続される。
【００１５】
図６は、以上説明したワイヤ接続方法の工程を示したフローチャートである。ここに示されているのは、片側のワイヤ群についての工程であり、この工程が各ワイヤ群Ｗ１、Ｗ２のそれぞれについて実施される。
【特許文献１】特開平９−１３４５３３号公報
【特許文献２】特開平１１−１６７７３４号公報
【特許文献３】特開平２００１−１０１６８６号公報
【特許文献４】特開平８−６３７６９号公報
【発明の開示】
【発明が解決しようとする課題】
【００１６】
しかしながら、上述した従来のワイヤ接続方法では、ワイヤ群Ｗ１、Ｗ２と基板５３との間を接続部材６６、７６により電気的に接続しているので、接続部材が必要となり部品点数が増加する。また、図５Ｄ（ｃ）から分かるように、基台５２の背面側で合計１２箇所の半田付けを行う必要があり、組立工数も増加する。こうしたことから、上記従来の方法では製造コストが高くなるという問題点があった。
【００１７】
一方、前掲の特許文献３のように、ワイヤの基端側を折り曲げて基台の背面で半田付けするようにすれば、上述した接続部材６６、７６が不要となり、部品点数を削減することができる。しかしながら、特許文献３においては、ワイヤの折り曲げ部分が半田付け部までの短い長さしか有していないため、弾性力のあるワイヤを折り曲げる作業がやりにくく、作業性が悪いという問題がある。また、ワイヤはレンズホルダの側部と基台の背面で固定されるだけなので、ワイヤを折り曲げる位置のばらつきによって、レンズホルダを保持するワイヤの有効長にばらつきが生じ、特性が安定しないという問題もある。
【００１８】
本発明は、上述した課題を解決するものであって、その目的とするところは、部品点数および組立工数を削減してコストダウンを図れるとともに、安定した特性が得られる光ピックアップのワイヤ接続方法を提供することにある。
【課題を解決するための手段】
【００１９】
本発明は、ベース上に設けられた基台の両側に複数のワイヤが取り付けられ、対物レンズを備えたレンズホルダがワイヤの先端側に保持され、複数のワイヤは導電性を有する弾性部材からなり、これらのワイヤによりレンズホルダが水平および垂直方向に変位可能に支持されるとともに、当該ワイヤの後端側の端部が基台の背面で電気接続部と電気的に接続された光ピックアップにおけるワイヤ接続方法であって、以下の（１）〜（４）の工程を備えている。
（１）複数のワイヤのそれぞれを、基台およびレンズホルダの側部において固定する工程
（２）基台のワイヤ固定部から後端側に延びる余剰のワイヤを基台の背面側へ折り曲げる工程
（３）ワイヤの折り曲げ部と、基台の背面に設けられた電気接続部とを半田付けする工程
（４）折り曲げ部の半田付け部における余剰のワイヤを切断する工程
本発明においては、ワイヤの後端を切断することなく基台の背面側へ折り曲げて基板等の電気接続部と半田付けするので、接続部材が不要となり部品点数を削減できる。また、基台の背面側ではワイヤ部分のみに半田付けを行えばよいので、半田付け箇所が少なくて済み、組立工数も削減できる。さらに、ワイヤの折り曲げ部が半田付け部を越えて延びる長さを有しており、ワイヤと電気接続部との半田付けが終了した後、半田付け部における余剰のワイヤを切断するので、ワイヤが弾性力を有していても容易に折り曲げることができ、作業性が向上する。また、本発明では、ワイヤを基台とレンズホルダの２箇所で固定して有効長を確保した後に、ワイヤを折り曲げるので、折り曲げ位置にばらつきがあってもワイヤの有効長には影響せず、安定した特性が得られる。
【００２０】
本発明の実施形態においては、ワイヤを基台とレンズホルダに固定するのに半田付けが用いられるが、接着等の他の手段を用いて固定することもできる。また、ワイヤを、両端部が基台とレンズホルダを超えて延びるような十分な長さに形成し、両端部を除く２箇所で基台およびレンズホルダの側部において半田付けし、レンズホルダの半田付け部から先端側に延びる余剰のワイヤを切断するようにしてもよい。
【発明の効果】
【００２１】
本発明によれば、接続部材が不要となって部品点数と組立工数が削減されるので、製造コストを低減できるとともに、ワイヤの折り曲げが容易で作業性が向上する。また、折り曲げ位置がばらついてもワイヤの有効長に影響せず、安定した特性を得ることができる。
【発明を実施するための最良の形態】
【００２２】
図１Ａ〜図２Ｆは、本発明の実施形態に係るワイヤ接続方法を説明する図である。各図において、（ａ）は光ピックアップの上面図、（ｂ）は光ピックアップの正面図、（ｃ）は光ピックアップの左側面図をそれぞれ表している。また、各図において同一部分には同一符号を付してある。
【００２３】
ワイヤの接続方法の説明に入る前に、図２Ｆを参照して、光ピックアップの概略構造を説明する。１００は光ピックアップであって、ベース１と、このベース１上に取り付けられている基台２と、この基台２の背面に設けられている基板３と、基台２の両側に後端側（図の左側）が取り付けられるワイヤ１１〜１３（ワイヤ群Ｗ１）、２１〜２３（ワイヤ群Ｗ２）と、各ワイヤの先端側（図の右側）に保持されたレンズホルダ４とを備えている。各ワイヤは、例えばリン青銅のような導電性の弾性部材から形成されている。５はレンズホルダ４に設けられた対物レンズである。１４、２４はワイヤ１１〜１３、２１〜２３を基台２の両側で固定するための半田付け部、１５、２５はワイヤ１１〜１３、２１〜２３をレンズホルダ４の両側で固定するための半田付け部である。なお、基板３に代えて、図２Ｆ（ｃ）で一点鎖線で示したようなフレキシブル基板６を用いてもよい。また、このフレキシブル基板６は、基板３に取り付けられていてもよい。フレキシブル基板６は、外部の電気回路に接続される。１６、２６はワイヤ１１〜１３、２１〜２３と基板３、６との半田付け部である。なお、レンズホルダ４にはフォーカスコイルやトラッキングコイルが装備されており、ベース１には各コイルに磁界を作用させるマグネットが装備されているが、図ではこれらの図示を省略してある。
【００２４】
上述した光ピックアップ１００の動作は、従来のものと同じである。すなわち、外部から与えられる制御信号（フォーカス信号、トラッキング信号）は、基板３、６およびワイヤ１１〜１３、２１〜２３を介して、レンズホルダ４に設けられている図示しないフォーカスコイルやトラッキングコイルに供給される。コイルに電流が流れると、図示しないマグネットの磁界の作用によりローレンツ力が発生し、この力を受けてレンズホルダ４は、ワイヤ１１〜１３、２１〜２３を弾性変形させながら垂直方向に変位してフォーカス動作を行い、あるいは水平方向に変位してトラッキング動作を行う。
【００２５】
次に、光ピックアップ１００におけるワイヤの接続方法につき、順を追って説明する。最初に、図１Ａに示すように、片側のワイヤ群Ｗ１を構成する３本のワイヤ１１〜１３を、基台２とレンズホルダ４の側部にセットする。この作業は、光ピックアップ１００を図示しない冶具に取り付けた状態で行われる。ワイヤ１１〜１３は、両端部が基台２とレンズホルダ４を超えて延びるような十分な長さを有している。
【００２６】
ワイヤ１１〜１３をセットした後、図１Ａ（ａ）に示すＡ部で、各ワイヤ１１〜１３を基台２の側部に設けられた半田接続部に半田付けして基台２に固定する。１４は基台２における各ワイヤの半田付け部を示している。続いて、図１Ｂに示すように、同図（ａ）に示すＢ部で、ワイヤ１１〜１３をレンズホルダ４の側部に設けられた半田接続部に半田付けしてレンズホルダ４に固定する。１５はレンズホルダ４における各ワイヤの半田付け部を示している。以上によって、ワイヤ１１〜１３は、両端部を除く２箇所で基台２およびレンズホルダ４の側部に固定される。そして、半田付け部１４、１５間の距離がワイヤの有効長となって、レンズホルダ４は、ワイヤ１１〜１３により基台２に弾性的に支持される。
【００２７】
その後、光ピックアップ１００を冶具から取り外し、図１Ｃに示すように、レンズホルダ４の半田付け部１５から先端側（右側）に延びる余剰のワイヤ１１ｂ〜１３ｂ（同図（ａ）では１１ｂのみ図示）をニッパ等の工具を用いて切断する。一方、基台２の半田付け部１４から後端側（左側）に延びるワイヤのうち、基台２からはみ出た余剰のワイヤ１１ａ〜１３ａ（同図（ａ）では１１ａのみ図示）は、切断することなく基台２の背面（基板３が設けられている面）側へ折り曲げる。
【００２８】
次に、図１Ｄに示すように、同図（ａ）に示すＣ部で、ワイヤ１１〜１３の折り曲げ部１１ａ〜１３ａと基板３、６とを半田付け部１６のように半田付けする。これによって、ワイヤ１１〜１３からなるワイヤ群Ｗ１は、基板３、６に直接、電気的に接続される。
【００２９】
なお、図１Ｃ〜図１Ｄにおいては、ワイヤ群Ｗ１の全てのワイヤ１１〜１３を折り曲げた後に、各ワイヤへの半田付けをまとめて行ったが、図１Ｅのように、ワイヤ群Ｗ１のワイヤを１本ずつ折り曲げて、半田付けを行うようにしてもよい。
【００３０】
その後、図１Ｆに示したように、半田付け部１６における折り曲げ部１１ａ〜１３ａの余剰部分（同図（ａ）に破線で示す）をニッパ等の工具を用いて切断する。
【００３１】
上記のようにして一方のワイヤ群Ｗ１の接続が終了した後、他方のワイヤ群Ｗ２の接続を図２Ａ〜図２Ｆの工程に従って同様に行う。すなわち、図２Ａに示すように、ワイヤ群Ｗ２を構成する３本のワイヤ２１〜２３を、基台２とレンズホルダ４の側部にセットする。この作業は、光ピックアップ１００を図示しない冶具に取り付けた状態で行われる。ワイヤ２１〜２３は、両端部が基台２とレンズホルダ４を超えて延びるような十分な長さを有している。
【００３２】
ワイヤ２１〜２３をセットした後、図２Ａ（ａ）に示すＡ部で、各ワイヤ２１〜２３を基台２の側部に設けられた半田接続部に半田付けして基台２に固定する。２４は基台２における各ワイヤの半田付け部を示している。続いて、図２Ｂに示すように、同図（ａ）に示すＢ部で、ワイヤ２１〜２３をレンズホルダ４の側部に設けられた半田接続部に半田付けしてレンズホルダ４に固定する。２５はレンズホルダ４における各ワイヤの半田付け部を示している。以上によって、ワイヤ２１〜２３は、両端部を除く２箇所で基台２およびレンズホルダ４の側部に固定される。そして、半田付け部２４、２５間の距離がワイヤの有効長となって、レンズホルダ４は、ワイヤ２１〜２３により基台２に弾性的に支持される。
【００３３】
その後、光ピックアップ１００を冶具から取り外し、図２Ｃに示すように、レンズホルダ４の半田付け部２５から先端側（右側）に延びる余剰のワイヤ２１ｂ〜２３ｂ（同図（ａ）では２１ｂのみ図示）をニッパ等の工具を用いて切断する。一方、基台２の半田付け部２４から後端側（左側）に延びるワイヤのうち、基台２からはみ出た余剰のワイヤ２１ａ〜２３ａ（同図（ａ）では２１ａのみ図示）は、切断することなく基台２の背面（基板３が設けられている面）側へ折り曲げる。
【００３４】
次に、図２Ｄに示すように、同図（ａ）に示すＣ部で、ワイヤ２１〜２３の折り曲げ部２１ａ〜２３ａと基板３、６とを半田付け部２６のように半田付けする。これによって、ワイヤ２１〜２３からなるワイヤ群Ｗ１は、基板３、６に直接、電気的に接続される。
【００３５】
なお、図２Ｃ〜図２Ｄにおいては、ワイヤ群Ｗ２の全てのワイヤ２１〜２３を折り曲げた後に、各ワイヤへの半田付けをまとめて行ったが、図２Ｅのように、ワイヤ群Ｗ２のワイヤを１本ずつ折り曲げて、半田付けを行うようにしてもよい。
【００３６】
その後、図２Ｆに示したように、半田付け部２６における折り曲げ部２１ａ〜２３ａの余剰部分（同図（ａ）に破線で示す）をニッパ等の工具を用いて切断する。以上で、ワイヤ群Ｗ１、Ｗ２の電気的接続の作業が終了する。
【００３７】
図３は、以上説明したワイヤ接続方法の工程を示したフローチャートである。ここに示されているのは、片側のワイヤ群についての工程であり、この工程が各ワイヤ群Ｗ１、Ｗ２のそれぞれについて実施される。
【００３８】
上述したワイヤ接続方法によれば、ワイヤの後端を切断することなく基台２の背面側へ折り曲げて基板３、６と半田付けするので、ワイヤと基板とを接続するための接続部材が不要となり、部品点数を削減できる。また、基台２の背面側ではワイヤ部分のみに半田付けを行えばよいので、図２Ｆ（ｃ）から分かるように、半田付け箇所は合計６箇所で済み、図５Ｄ（ｃ）の従来の場合に比べて組立工数が半減する。さらに、切断前のワイヤの折り曲げ部１１ａ〜１３ａ、２１ａ〜２３ａが半田付け部１６、２６を越えて延びる長さを有しているので、ワイヤが弾性を有していても容易に折り曲げることができ、作業性が向上する。また、ワイヤを基台２とレンズホルダ４の２箇所（Ａ部とＢ部）で固定して有効長を確保した後に、ワイヤを折り曲げるので、たとえワイヤを折り曲げる位置がばらついたとしても、ワイヤの有効長には影響せず、安定した特性が得られる。
【００３９】
上述した実施形態では、ワイヤ１１〜１３、２１〜２３を基台２とレンズホルダ４に固定するのに半田付けを用いたが、接着や熱溶着等の手段によりワイヤを基台２とレンズホルダ４に固定してもよい。また、上述した実施形態では、レンズホルダ４の半田付け部１５、２５における余剰のワイヤ１１ｂ〜１３ｂ、２１ｂ〜２３ｂを半田付け終了後に切断するようにしたが、ワイヤの先端位置が最初から半田付け部１５、２５の位置となるようにワイヤをセットし、半田付け後の余剰ワイヤの切断工程を省略してもよい。さらに、上記実施形態においては、基台２の背面に設けられる電気接続部が基板３やフレキシブル基板６である場合を例に挙げたが、電気接続部は、基台２の背面に形成された印刷回路や接続端子などであってもよい。
【図面の簡単な説明】
【００４０】
【図１Ａ】本発明によるワイヤの接続方法を説明する図である。
【図１Ｂ】本発明によるワイヤの接続方法を説明する図である。
【図１Ｃ】本発明によるワイヤの接続方法を説明する図である。
【図１Ｄ】本発明によるワイヤの接続方法を説明する図である。
【図１Ｅ】本発明によるワイヤの接続方法を説明する図である。
【図１Ｆ】本発明によるワイヤの接続方法を説明する図である。
【図２Ａ】本発明によるワイヤの接続方法を説明する図である。
【図２Ｂ】本発明によるワイヤの接続方法を説明する図である。
【図２Ｃ】本発明によるワイヤの接続方法を説明する図である。
【図２Ｄ】本発明によるワイヤの接続方法を説明する図である。
【図２Ｅ】本発明によるワイヤの接続方法を説明する図である。
【図２Ｆ】本発明によるワイヤの接続方法を説明する図である。
【図３】本発明に係るワイヤ接続方法の工程を示したフローチャートである。
【図４Ａ】従来のワイヤの接続方法を説明する図である。
【図４Ｂ】従来のワイヤの接続方法を説明する図である。
【図４Ｃ】従来のワイヤの接続方法を説明する図である。
【図４Ｄ】従来のワイヤの接続方法を説明する図である。
【図５Ａ】従来のワイヤの接続方法を説明する図である。
【図５Ｂ】従来のワイヤの接続方法を説明する図である。
【図５Ｃ】従来のワイヤの接続方法を説明する図である。
【図５Ｄ】従来のワイヤの接続方法を説明する図である。
【図６】従来のワイヤ接続方法の工程を示したフローチャートである。
【符号の説明】
【００４１】
１    ベース
２    基台
３    基板
４    レンズホルダ
５    対物レンズ
６    フレキシブル基板
１１〜１３  ワイヤ
１１ａ〜１３ａ  折り曲げ部
１４、１５、１６  半田付け部
２１〜２３  ワイヤ
２１ａ〜２３ａ  折り曲げ部
２４、２５、２６  半田付け部
１００  光ピックアップ
Ｗ１、Ｗ２  ワイヤ群
【図１Ａ】
2006134442.tif 000003
【図１Ｂ】
2006134442.tif 000004
【図１Ｃ】
2006134442.tif 000005
【図１Ｄ】
2006134442.tif 000006
【図１Ｅ】
2006134442.tif 000007
【図１Ｆ】
2006134442.tif 000008
【図２Ａ】
2006134442.tif 000009
【図２Ｂ】
2006134442.tif 000010
【図２Ｃ】
2006134442.tif 000011
【図２Ｄ】
2006134442.tif 000012
【図２Ｅ】
2006134442.tif 000013
【図２Ｆ】
2006134442.tif 000014
【図３】
2006134442.tif 000015
【図４Ａ】
2006134442.tif 000016
【図４Ｂ】
2006134442.tif 000017
【図４Ｃ】
2006134442.tif 000018
【図４Ｄ】
2006134442.tif 000019
【図５Ａ】
2006134442.tif 000020
【図５Ｂ】
2006134442.tif 000021
【図５Ｃ】
2006134442.tif 000022
【図５Ｄ】
2006134442.tif 000023
【図６】
2006134442.tif 000024